(57)【要約】【課題】特定の場所や地域に限定したサービスを容易に提供するための手段を提供する。【解決手段】本発明のサービス提供システムは、タグ情報を万物ＩＤに変換するためのタグ−万物ＩＤ変換手段と、万物ＩＤに関連付けられた第１の情報を検索するための１または複数の局所サーバと、万物ＩＤに関連付けられた第２の情報を検索するための大域サーバと、位置から対応する局所サーバを特定するための局所サーバ特定手段を備えており、第１の情報と第２の情報とは少なくとも部分的に異なっている。かかる構成によれば、第１の情報に関連付けて提供するサービスを特定の場所や地域に限定して提供することが可能になる。一方、同じ万物ＩＤに関連付けられた別のサービスを、第１の情報とは異なる第２の情報に関連付けて、例えば、より広域的に提供するためのサービスとして別途提供することも可能となる。【選択図】図２
2004280350.tif 000002
【特許請求の範囲】
【請求項１】
タグ情報を万物ＩＤに変換するためのタグ−万物ＩＤ変換手段と、
前記万物ＩＤに関連付けられた第１の情報を検索するための１または複数の局所サーバと、
前記万物ＩＤに関連付けられた第２の情報を検索するための大域サーバと、
位置から対応する前記局所サーバを特定するための局所サーバ特定手段
を備え、前記第１の情報と前記第２の情報とは少なくとも部分的に異なることからなる、サービス提供システム。
【請求項２】
前記局所サーバ特定手段は、
空間的な位置を示す情報を受け取るための手段と、
前記空間的な位置を示す情報から対応する前記局所サーバを特定するための手段
を含む、請求項１のサービス提供システム。
【請求項３】
前記局所サーバ特定手段は、
位置に対応する局所サーバのアドレスを送信する手段と、
前記送信されたアドレスを受信する手段
を含む、請求項１または２のサービス提供システム。
【請求項４】
前記第１の情報が、前記複数の局所サーバ間の一部または全ての局所サーバ間で少なくとも部分的に異なる、請求項１乃至３のいずれかのサービス提供システム。
【請求項５】
前記局所サーバ特定手段によって特定された前記局所サーバにより検索された前記第１の情報と前記大域サーバによって検索された前記第２の情報とを受け取るためのサービス要求仲介手段をさらに備える、請求項１乃至４のいずれかのサービス提供システム。
【請求項６】
前記サービス要求仲介手段が、前記位置情報を前記局所サーバ特定手段に送る、請求項５のサービス提供システム。
【請求項７】
前記サービス要求仲介手段が、前記タグ情報を前記タグ−万物ＩＤ変換手段に送る、請求項５または６のサービス提供システム。
【請求項８】
前記局所サーバが、前記万物ＩＤに基づいて前記第１の情報を取り出すための第１の情報発見手段を備える、請求項１乃至７のいずれかのサービス提供システム。
【請求項９】
前記大域サーバは、前記万物ＩＤに基づいて前記第２の情報を取り出すための第２の情報発見手段を備える、請求項１乃至８いずれかのサービス提供システム。
【請求項１０】
前記タグ−万物ＩＤ変換手段が、前記大域サーバ内に設けられた識別子解析サーバである、請求項１乃至９のいずれかのサービス提供システム。
【請求項１１】
前記タグ−万物ＩＤ変換手段が、前記局所サーバ内に設けられる、請求項１０のサービス提供システム。
【請求項１２】
前記サービス要求仲介手段が、前記タグ−万物ＩＤ変換手段によって変換された万物ＩＤを受け取って、前記第１の情報発見手段に送り、前記局所サーバが、前記万物ＩＤを上位の局所サーバまたは大域サーバに送る、請求項８乃至１１のいずれかのサービス提供システム。
【請求項１３】
前記サービス要求仲介手段が、前記タグ−万物ＩＤ変換手段によって変換された万物ＩＤを受け取って、前記第１及び第２の情報発見手段に送る、請求項９乃至１１のいずれかのサービス提供システム。
【請求項１４】
前記局所サーバは、ユーザに情報を提供する際に、ユーザの位置を確認する、請求項１乃至１３のいずれかのサービス提供システム。
【請求項１５】
前記局所サーバは、前記大域サーバのアドレス情報を有しており、このアドレス情報により特定される大域サーバと通信を行い、その大域サーバにより検索された前記第２の情報を取得して、前記第１の情報と共に前記サービス要求仲介手段に送るよう構成される、請求項５乃至１２、または１４のいずれかのサービス提供システム。
【請求項１６】
前記タグ情報を読み取って前記サービス要求仲介手段に送るための端末装置をさらに備える、請求項５乃至１５のいずれかのサービス提供システム。
【請求項１７】
前記サービス要求仲介手段は、前記端末装置から送られる選択信号によって、前記端末装置に前記第１の情報を送るか、前記第２の情報を送るかを選択する、請求項１６のサービス提供システム。
【請求項１８】
前記端末装置は、ユーザの位置情報を生成して、前記位置情報を前記サービス要求仲介手段に送るよう構成される、請求項１６または１７のサービス提供システム。
【請求項１９】
前記端末装置と前記サービス要求仲介手段が、携帯ネットワークを介して接続される、請求項１６乃至１８のいずれかのサービス提供システム。
【請求項２０】
前記第１の情報が、各々の局所サーバが管轄するエリアで独自に提供するサービスに関する情報であり、前記第２の情報が、前記大域サーバが管轄するエリアに共通に提供するサービスに関する情報である、請求項１乃至１９のいずれかのサービス提供システム。
【請求項２１】
１または複数の局所サーバと、大域サーバとを備えるサービス提供システムにおいてサービスを提供する方法であって、
位置情報を読み取るステップと、
モノを識別するためのタグ情報を読み取るステップと、
前記タグ情報を万物ＩＤに変換するステップと、
前記位置情報から対応する局所サーバを特定するステップと、
前記特定された局所サーバにおいて、前記万物ＩＤに関連付けられた第１の情報を検索するステップと、
前記大域サーバにおいて、前記万物ＩＤに関連付けられた第２の情報を検索するステップと
を含み、前記第１の情報と第２の情報とが少なくとも部分的に異なることからなる、方法。
【請求項２２】
前記検索された第１の情報及び第２の情報を受け取るステップと、
受け取った情報をユーザに提示するステップと
をさらに含む、請求項２１の方法。
【請求項２３】
前記受け取った情報を選択するステップと、
前記選択された情報に基づいて対応するサービスを起動するステップと
を含む、請求項２２の方法。
【発明の詳細な説明】
【０００１】
【発明の属する技術分野】
本発明は、サービスを検索するためのサービス提供システム及び方法に関し、特に特定の場所に限定したサービスを提供するサービス提供システム及び方法に関する。
【０００２】
【従来の技術】
下記の日経コミュニケーションの記事で紹介されているように、物品に付したタグからその物品に関する情報を取り出して在庫管理などに利用することは知られていたが、このようなタグを使用して、物品などに対応付けられたサービスを検索し提供するシステムは知られていなかった。
【０００３】
そこで、本願出願人は先の特許出願２００２−１０９６２９「サービス提供システム及びサービス提供方法」において、商品等に識別子を関連付け、この識別子を読み取ってその商品等に関連付けられているサービスを検索し提供するシステムを提案した。
【０００４】
本出願人による上記先の出願に開示された構成を簡略化して示すと図１のようになる。以下では、図１に示すシステムは、タグのついた商品等１０１、携帯電話、ＰＤＡ、ノートブックパソコンなどのモバイル端末１０２、携帯ネットワーク１０３（先の出願では、ネットワークを携帯ネットワークとは特定していないが、本明細書では、実施例において携帯電話サービス用のネットワーク、つまり携帯ネットワークに例を取って説明する）、ポータルサーバ１０４、ＵＤＳサーバ１０５（識別子解析サーバ１０５１とサービス発見サーバ１０５２を含む広域サービス検索サーバ）、オブジェクトに関連付けられたサービス１０６から構成される。以下、このようなシステムを便宜上、ＵＤＳ（Ｕｂｉｑｕｉｔｏｕｓ  Ｄｉｓｃｏｖｅｒｙ  Ｓｅｒｖｉｃｅ）システムと呼ぶこととするが、特に、上記本出願人による先の出願に開示されたＵＤＳシステムを「先の出願によるＵＤＳシステム」と呼ぶこととする。次に、この先の出願によるＵＤＳシステムの動作の概略を説明する。
【０００５】
ユーザのモバイル端末は赤外線、バーコードリーダ、ＲＦ−ＩＤリーダなどのタグ読み取り装置を備えており、このタグを読み取ることができるようになっている。読み取られたタグは携帯ネットワークを通じてポータルサーバに送られ、そこからＵＤＳサーバ１０５内の識別子解析サーバ１０５２に転送される。そこで、読み取られたタグは、万物識別子（以下、万物ＩＤと記す）と呼ばれる、ＵＤＳシステム内で商品等を識別するために一元的に用いられる固有の識別子に変換されてポータルサーバに返される。ＵＤＳシステムの中ではこの万物ＩＤを識別子として取り扱うことができる。
【０００６】
商品等に関連するサービス検索の要求があった場合は、ポータルサーバが万物ＩＤをＵＤＳサーバ内のサービス発見サーバに送信し、関連するサービスのチケット群１０５３を受け取る。チケットはサービス提供情報であり、商品等に関連付けられたサービスの場所（ＵＲＬ）、情報提供者、サービスの種別などの情報を含む。このチケットによってサービスの選別を行う（チケットの具体例を図６に示す）。サービスの選別には、ポータルサーバが持つユーザの個人の嗜好情報でフィルタリングを行ったり、ポータルサーバがチケットを元にメニューを作ってユーザに提示して、その提示されたものの中からユーザが選択する方法がある。
【０００７】
また、近年では、携帯電話やＰＨＳの現在位置を携帯（あるいはＰＨＳ）ネットワークが探知できることを応用して、例えば最寄りのレストランなどの情報を検索する情報提供サービスが提供されている。
【０００８】
【非特許文献１】
日経コミュニケーション２００３年２月３日号、「あらゆるモノに極小無線タグを内蔵−ネット経由の商品追跡も可能ＩＤ使用に日米２方式が名乗り」、ｐ７８−８０
【０００９】
【発明が解決しようとする課題】
先の出願によるＵＤＳシステムは、携帯電話網等のネットワークに基づくグローバルサービスである。携帯電話網を提供する事業者が一国すべての地域をカバーしていると、全国的に同じサービスを提供することができる。これは一面便利であるが、ユーザやサービス提供者にとって不便なこともある。ユーザはモバイル端末を持ってどこにでも移動し、移動した場所に応じた情報を求めており、サービス提供者もその場所に応じたサービスを提供したい場合がある。例えば、東京のある地域にいるモバイルユーザだけに有効な情報は、それ以外の地域にいる人にとっては情報としての価値が低いであろう。また、ある店舗の中にいる顧客に対する情報は、その顧客以外の人には教えたくない場合がある。このような場合、ユーザが今いる場所を検出し、それによってサービスを選別することが必要となる。
【００１０】
先の出願によるＵＤＳシステムにおいても、チケットに場所情報を書いておき、ポータルサーバがユーザのいる場所に応じたサービスを選択することができる。この場合、チケットに、例えば、ＰＯＩＸ  （Ｐｏｉｎｔ  Ｏｆ  Ｉｎｔｅｒｅｓｔ  ｅＸｃｈａｎｇｅ  ｌａｎｇｕａｇｅ：ポイクス）に準拠して緯度及び経度を書いておくと、「点」としての情報は得られるが、「公園の中」というような範囲の情報を書くことができない（尚、ＰＯＩＸの仕様書（Ｖｅｒｓｉｏｎ  ２．０  Ｄｏｃｕｍｅｎｔ  Ｒｅｖｉｓｉｏｎ  １）については、ｈｔｔｐ：／／ｍｏｓｔｅｃ．ａｐｌｉｘ．ｃｏ．ｊｐ／ｐｏｉｘ．ｈｔｍｌを参照されたい）。地域を矩形のような形で表現すると、データが複雑になり、結果的にチケットの情報量が大きくなってしまう。また、大阪にいるユーザに対するサービスを検索する場合にも、東京や北海道など無関係の場所に関するサービスのチケットまでポータルサーバが取ってしまいそこから大阪に関する情報への絞り込みを行うので無駄が多い。さらに、販売店の中の商品の販売価格など、来店した顧客だけに提供したい情報サービスがあっても、全国的なサービスを行うＵＤＳシステムに登録すると、他の顧客や同業者にもその情報が知れてしまう可能性がある。
【００１１】
また、上記本出願人による先の出願には、識別子を用いて検索された多くのサービスのうちから更に実際にユーザに提供するサービスを選択するに当たって、サービスを提供している場所とユーザのいる場所を比べて最も近い位置の業者を選択するなどの、場所情報を利用して検索結果の絞り込みを行うことも開示されている。しかしながら、これは、上述の携帯（あるいはＰＨＳ）ネットワークを用いた地域毎の情報提供サービスと同様に、場所に関係なく提供される情報検索サービスにおいて、情報の絞り込みの条件として現在の位置を利用するというものであり、その意味では位置情報からサービスを検索するというものではない。
【００１２】
これらの従来技術の問題点に鑑み、本発明は、モノに対して関連付けられたサービスの検索を行う際、ある特定のサービスについて、他の場所で検索を行っても関連付けされているものとしてヒットしないが、特定の場所で検索を行うとヒットするようにできるシステム及び方法を提供することにより、場所または地域固有のサービスを容易に提供できるようにするとともに、特定の場所または地域以外では、モノに関連付けられたある特定のサービスが提供されることを確実に阻止するということも容易に実現することを目的とする。ここで、「モノ」とは、工業製品、建築物などの物理的な実体を持つ物だけでなく、サービス、データなどの物理的実体を持たない概念上のものも含まれる。モノには、バーコード、ＲＦ−ＩＤ（Ｒａｄｉｏ  Ｆｒｅｑｕｅｎｃｙ  Ｉｄｅｎｔｉｆｉｃａｔｉｏｎ）タグ、その他の方法を用いて識別用のタグを付けることができる。また、データにタグを付与するには、例えばそのデータ中にタグを埋め込むなどの方法がある。このタグに対して、万物ＩＤを対応付けることができる。
【００１３】
【課題を解決するための手段】
本発明のサービス提供システム及び方法は、上記目的を達成するための態様として、以下に示すいくつかの態様を有する。
【００１４】
第１の態様乃至第２０の態様は、サービス提供システムに係る態様であり、第２１乃至第２３の態様は、サービス提供システムに係る態様である。
【００１５】
第１の態様は、タグ情報を万物ＩＤに変換するためのタグ−万物ＩＤ変換手段と、万物ＩＤに関連付けられた第１の情報を検索するための１または複数の局所サーバと、万物ＩＤに関連付けられた第２の情報を検索するための大域サーバと、位置から対応する局所サーバを特定するための局所サーバ特定手段を備えるサービス提供システムであって、上記第１の情報と第２の情報とは少なくとも部分的に異なるというものである。
【００１６】
第１の態様によれば、モノを識別するためのタグ情報は、本システムで一元的に管理される万物ＩＤに変換される。そして、この万物ＩＤにサービスを関連付けることができるが、このサービスに対して、第１、第２の情報（例えばサービスのアクセス先情報など）を関連付けることができる。そして、これらの第１の情報と第２の情報とは異なるものとすることができるので、万物ＩＤが同じであっても、局所サーバと大域サーバとで検索する情報に関連するサービスを異なるものとすることができる。ここで、局所サーバは、その位置から局所サーバ特定手段によって特定される。したがって、たとえばユーザの位置がわかれば、その位置をカバーする局所サーバを特定することができるので、ユーザの位置に応じたサービスの提供が可能になる。また、同じ万物ＩＤに関連付けられた第２の情報を第１の情報とは異なる、例えば、より広域的に提供するためのサービスに関連付けることによって、それらのサービスも別途提供可能となる。
【００１７】
第２の態様は、第１の態様のサービス提供システムにおいて、局所サーバ特定手段が、空間的な位置を示す情報を受け取るための手段と、空間的な位置を示す情報から対応する前記局所サーバを特定するための手段を備える。
【００１８】
第３の態様は、第１または第２の態様のサービス提供システムにおいて、局所サーバ特定手段が、位置に対応する局所サーバのアドレスを送信する手段と、送信されたアドレスを受信する手段を備える。
【００１９】
第４の態様は、第１乃至第３の態様のいずれかのサービス提供システムにおいて、上記第１の情報が、上記複数の局所サーバ間の一部または全ての局所サーバ間で少なくとも部分的に異なる。従って、ユーザは、局所サーバが配置されている位置に応じて、局所サーバ毎に異なる情報を利用することができるようになる。
【００２０】
第５の態様は、第１乃至第４の態様のいずれかのサービス提供システムが、局所サーバ特定手段によって特定された局所サーバにより検索された上記第１の情報と大域サーバによって検索された上記第２の情報とを受け取るためのサービス要求仲介手段をさらに備える。
【００２１】
第６の態様は、第５の態様のサービス提供システムにおいて、サービス要求仲介手段が、上記位置情報を局所サーバ特定手段に送るよう構成される。
【００２２】
第７の態様は、第５または第６の態様のサービス提供システムにおいて、サービス要求仲介手段が、タグ情報をタグ−万物ＩＤ変換手段に送るよう構成される。
【００２３】
第８の態様は、第１乃至第７の態様のいずれかのサービス提供システムにおいて、局所サーバが、万物ＩＤに基づいて上記第１の情報を取り出すための第１の情報発見手段を備える。
【００２４】
第９の態様は、第１乃至第８の態様のいずれかのサービス提供システムにおいて、大域サーバは、万物ＩＤに基づいて上記第２の情報を取り出すための第２の情報発見手段を備える。
【００２５】
第１０の態様は、第１乃至第９の態様のいずれかのサービス提供システムにおいて、タグ−万物ＩＤ変換手段が、大域サーバ内に設けられた識別子解析サーバである。
【００２６】
第１１の態様は、第１０の態様のサービス提供システムにおいて、タグ−万物ＩＤ変換手段が、局所サーバ内に設けられる。かかる構成によれば、大域サーバから万物ＩＤをもらうことなく、局所サーバ自体でより迅速に万物ＩＤに変換することが可能になる。
【００２７】
第１２の態様は、第８乃至１１の態様のいずれかのサービス提供システムにおいて、サービス要求仲介手段が、タグ−万物ＩＤ変換手段によって変換された万物ＩＤを受け取って、第１の情報発見手段に送り、局所サーバが、万物ＩＤを上位の局所サーバまたは大域サーバに送るよう構成される。第１２の態様によれば、上位の局所サーバがさらにその上位の局所サーバに万物ＩＤを送るように構成することによって、局所サーバを多段階に構成することが可能になる。この場合に、各段の局所サーバ毎に異なるサービスを検索して提供するようにすれば、サーバのメンテナンスも容易になり、また、ユーザは利用するサービスの選別もより容易に行うことができるようになる。
【００２８】
第１３の態様は、第９乃至１１の態様のいずれかのサービス提供システムにおいて、サービス要求仲介手段が、タグ−万物ＩＤ変換手段によって変換された万物ＩＤを受け取って、第１及び第２の情報発見手段に送るよう構成される。
【００２９】
第１４の態様は、第１乃至１３の態様のいずれかのサービス提供システムにおいて、局所サーバが、ユーザに情報を提供する際に、ユーザの位置を確認するよう構成される。第１４の態様によれば、システムは、サービスの提供を受けようとするユーザが、実際にサービス提供対象エリアにいるか否かをサービスを提供する際に確認することができる。従って、サービスを利用する資格のない者にサービスを提供しないようにすることができる。
【００３０】
第１５の態様は、第５乃至１２または１４の態様のいずれかのサービス提供システムにおいて、局所サーバが、大域サーバのアドレス情報を有しており、このアドレス情報により特定される大域サーバと通信を行い、その大域サーバにより検索された上記第２の情報を取得して、上記第１の情報と共にサービス要求仲介手段に送るよう構成される。
【００３１】
第１６の態様は、第５乃至１５の態様のいずれかのサービス提供システムが、タグ情報を読み取ってサービス要求仲介手段に送るための端末装置をさらに備える。第１６の態様によれば、ユーザは、各エリアに配置された端末装置を操作することによりサービスを利用することができる。さらに、端末装置をユーザが持ち運べる携帯型の端末とすれば、ユーザは、それぞれの局所サーバが対象とするエリアに端末装置を持って移動することにより、それぞれのエリアに応じたサービスの提供を受けることができる。
【００３２】
第１７の態様は、第１６の態様のサービス提供システムにおいて、サービス要求仲介手段が、端末装置から送られる選択信号によって、端末装置に上記第１の情報を送るか、第２の情報を送るかを選択するよう構成される。この態様によれば、ユーザは端末装置を使って局所サーバによって提供される情報と、大域サーバによって提供される情報とを選択し、いずれか所望のサービスを利用することができる。
【００３３】
第１８の態様は、第１６または１７の態様のサービス提供システムにおいて、端末装置が、ユーザの位置情報を生成して、その位置情報をサービス要求仲介手段に送るよう構成される。
【００３４】
第１９の態様は、第１６乃至１８の態様のいずれかのサービス提供システムにおいて、端末装置とサービス要求仲介手段が、携帯ネットワークを介して接続される。ネットワークとして、携帯ネットワークワークすなわち、すでに広く利用されている既存の携帯電話サービス用のネットワークを利用することができる。
【００３５】
第２０の態様は、第１乃至１９の態様のいずれかのサービス提供システムにおいて、上記第１の情報は、各々の局所サーバが管轄するエリアで独自に提供するサービスに関する情報であり、上記第２の情報は、大域サーバが管轄するエリアに共通に提供するサービスに関する情報である。
【００３６】
第２１の態様は、１または複数の局所サーバと、大域サーバとを備えるサービス提供システムにおいてサービスを提供する方法であって、位置情報を読み取るステップと、モノを識別するためのタグ情報を読み取るステップと、タグ情報を万物ＩＤに変換するステップと、位置情報から対応する局所サーバを特定するステップと、特定された局所サーバにおいて、上記万物ＩＤに関連付けられた第１の情報を検索するステップと、大域サーバにおいて、上記万物ＩＤに関連付けられた第２の情報を検索するステップとを含み、第１の情報と第２の情報とが少なくとも部分的に異なる。
【００３７】
第２２の態様は、第２１の態様の方法が、さらに、上記検索された第１の情報及び第２の情報を受け取るステップと、受け取った情報をユーザに提示するステップとを含む。
【００３８】
第２３の態様は、第２２の態様の方法が、受け取った情報を選択するステップと、選択された情報に基づいて対応するサービスを起動するステップとをさらに含む。
【００３９】
【発明の実施の形態】
以下では、「サービス」という用語には、ある対象に対して何らかの処理を伴うサービスだけでなく、情報をそのまま提示するサービスも含まれるものとする。
【００４０】
図２及び図３に本発明の第１及び第２の実施形態の構成をそれぞれ示す。図２及び図３に示す本発明の実施形態における情報提供システム（ＵＤＳシステム）は、外観上は、いずれも先の出願によるＵＤＳシステムに局所サーバ２０２を接続した構成である。図２に示す第１の実施形態は、ユーザの位置検出にＧＰＳを利用し、図３に示す第２の実施形態は、ユーザの位置検出に赤外線ビーコンを利用する。具体的には、赤外線ビーコンによって、その位置を管轄する局所サーバ２０２のネットワークアドレスを受け取る。
【００４１】
以下では、図２に示す第１の実施形態について説明するが、以下の説明は、ユーザの位置の検出及び認証に関する部分、及び局所サーバを特定するための手段を除き、第１の実施形態と第２の実施形態に共通に当てはまる。尚、後述のスーパーマーケットチェーン社に適用した例では、第２の実施形態を採用している。本発明のこれらの実施形態におけるＵＤＳサーバ１０５は、必ずしも全国的なサービスを提供するものである必要はなく、ＵＤＳシステム全体が対象としているサービスエリアの全域に対して一様なサービスを提供するするものとして構成することができる。局所サーバ２０２とＵＤＳサーバ１０５の間にさらに階層的に局所サーバを配置することができるが、本実施形態では、局所サーバ２０２に対する上位のサーバ（親サーバ）はＵＤＳサーバ１０５だけであり、これが最上位のサーバとなっている。以下、この最上位のＵＤＳサーバを「大域サーバ」と呼ぶ。
【００４２】
尚、以下で説明する実施形態の構成要素と、上記課題を解決するための手段で記載した各態様における構成要素とは、以下のように対応付けることができる。すなわち、タグ−万物ＩＤ変換手段は、大域サーバにおいては識別子解析サーバ１０５１（図２及び図３）に、サービス要求仲介手段は、ポータルサーバ１０４（図２及び図３）に、局所サーバ特定手段は、局所サーバデータベース１０３１（図２）に、第１、第２の情報発見手段は、それぞれ局所サービス発見サーバ２０２１、大域サービス発見サーバ１０５２（図２及び図３）に、第１の情報、第２の情報は、それぞれチケット２０２２、１０５３に、それぞれ対応付けることができる。
【００４３】
局所サーバ２０２は、ある限定されたエリア（領域）（店舗、商店街、博物館、テーマパーク、社内の一部門など）を対象としてサービスを提供する（すなわち、局所サーバはサービスを提供する管轄エリアを有する）。局所サーバは２０２は、それの管轄エリア内にあるモノ１０１を識別するための万物ＩＤからそのモノ、すなわち万物ＩＤに関連付けられたサービスを検索するための局所サービス発見サーバ２０２１を備える。局所サービス発見サーバ２０２１は、このサービスの検索を、万物ＩＤのデータとそれに関連付けられた情報の組からなるテーブルから、万物ＩＤをキーとしてそれに関連付けられた情報を検索するという周知の技法によって行うことができる。局所サーバ２０２はさらに、大域サーバ１０５とインターフェースするためのインターフェース部２０２５を備える。
【００４４】
タグから万物ＩＤへの変換（タグ−万物ＩＤ変換）は、例えば、タグ−万物ＩＤ変換対のテーブルを準備してタグを直接万物ＩＤに変換するようようにしてもよいし、他のテーブルなどを使った変換を複数段階行うことでタグ−万物ＩＤ変換を行うようにしてもよい。この変換機能は、局所サーバ２０２に持たせることもできるし、ポータルサーバ１０４が携帯ネットワーク１０３を介してこの変換要求を受け取り、それを大域サーバ（大域サーバ１０５中の識別子解析サーバ１０５１）に転送して識別子解析サーバ１０５１が行うようにしてもよい。本明細書で説明する第１及び第２の実施形態は、後者を採用している。
【００４５】
局所サーバ２０２が管轄エリア外にあるモノ１０１に関連付けられたグローバルな情報サービス、または局所サーバ２０２が管理していない、すなわち情報提供の対象としていないモノに関連付けられたサービスについてのデータは局所サーバが保持している必要はなく、また、それらのサービスを検索するためのサービス発見サーバも局所サーバに設ける必要はない。それらのデータや、サービス発見サーバは、通常、他のサーバ（他の局所サーバや大域サーバ）にそれぞれ保持され、設けられる。
【００４６】
さらに、提供される情報またはサービス自体（図２、図３の２０３、１０６）は、それらに対応するチケットが局所サーバ、または大域サーバのいずれによって検索されるかによらず、例えばインターネット上のサイトや他のサーバ上に置くことができる。それらの情報に対する検索要求が、ポータルサーバ１０４を介して、局所サーバ２０２中の局所サービス発見サーバ２０２１または大域サーバ１０５中の大域サービス発見サーバ１０５２に転送され、それらのサービス発見サーバによってサービスを提供するサイトの情報（ＵＲＬなど）を含むチケットが検索される。
【００４７】
以下、図２に示す１実施形態の動作を、図４のフローチャートに示す処理フローを参照して説明する。（）内の数字は、図４の各ステップの参照番号である。先ず、モバイル端末１０２が自身の位置、すなわち、ユーザの現在位置を読み取る（４１０）。ユーザの現在位置をどのように読み取るかについては、「ユーザ位置の読み取り」の項で説明する。ユーザの位置情報は携帯ネットワーク１０３を介してポータルサーバ１０４に送られると共に携帯ネットワーク１０３に保持される。次に、ユーザが、モバイル端末１０２（の端末１０２の入力装置１０２１）を使ってあるエリア内にあるモノ１０１から識別子タグ（以下、タグと記載）を読み取る（４１５）と、モバイル端末１０２は、読み取ったタグと位置情報をポータルサーバ１０４に送る（４２０）。
【００４８】
ポータルサーバ１０４は、そのタグを大域サーバ１０５内の識別子解析サーバ１０５１に送る。大域サーバ内の識別子解析サーバ１０５１は、そのタグを万物ＩＤに変換して、ポータルサーバ１０４に送り返す（４２５）。ポータルサーバ１０４は、モバイル端末から送られた上記位置情報を携帯ネットワーク１０３を介して局所サーバデータベース１０３１に送る。局所サーバデータベース１０３１は、局所サーバの識別子と局所サーバが管轄するエリアの位置情報の対応関係を示す情報を保持しており、携帯ネットワーク１０３を介して送られたユーザの位置情報からユーザの位置をカバーするエリアを管轄する局所サーバを検索することができる（４３０）。ポータルサーバ１０４は、送ったユーザの位置を含むエリアを管轄エリアとする局所サーバの識別子を携帯ネットワーク１０３を介して取得する。
【００４９】
ポータルサーバは取得した識別子を有する局所サーバに対してステップ４２５で変換されて送られた万物ＩＤを送る（４３５）。次に、万物ＩＤを受け取った局所サーバ２０２は上位のサーバにその万物ＩＤを送る（４４０）。局所サーバ２０２は、上位のサーバのＵＲＬ    ２０２３を保持しているので、このＵＲＬにより接続する上位のサーバを特定することができる。本実施形態では、上位のサーバは大域サーバ１０５であるので、局所サーバ２０２は、上記大域サーバ１０５とのインターフェース部２０２５を介してＵＲＬ  ２０２３で特定される大域サーバ１０５に万物ＩＤを送ることになる。
【００５０】
この時点で、局所サーバ２０２と大域サーバ１０５にはユーザのモバイル端末１０２から送られたモノに対応する万物ＩＤが送られ、それらは、それぞれ、局所サーバ２０２内の局所サービス発見サーバ２０２１、大域サーバ１０５内の大域サービス発見サーバ１０５２に送られる。
【００５１】
大域サーバ１０５内の大域サービス発見サーバ１０５２は、万物ＩＤに関連付けられたサービスに対応するチケットを検索し、インターフェース部１０５４を介して、検索したチケットを局所サーバ２０２に送り返す（４５０）。チケットの検索は、例えば、万物ＩＤと、それに関連付けられたチケットとの組からなるテーブルを利用して行うことができる。この場合、１つの万物ＩＤに複数のチケットが関連付けられている場合もあり、その場合は局所サーバ２０２はそれらのチケット群を受け取る。
【００５２】
局所サーバ２０２内の局所サービス発見サーバ２０２１も同様に、万物ＩＤに関連付けられたサービスに対応するチケットを検索する（４５５）がその前に、必要に応じてステップ４４５のユーザの位置の認証を行うことができる。ユーザの位置の認証については、「ユーザ位置の認証」の項で説明する。
【００５３】
局所サーバ２０２の局所サービス発見サーバ２０２１は、ステップ４５５で局所サービス発見サーバ２０２１が検索したチケット２０２２と、ステップ４５０で大域サービス発見サーバ１０５２により検索されて送り返されたチケット１０５３とをポータルサーバ１０４に送信する（４６０）。
【００５４】
次にポータルサーバ１０４は、受け取ったチケットをモバイル端末１０２に送り、モバイル端末１０２は、受け取ったチケットを表示する。ユーザは、表示されたチケット中から所望のサービスを選択することができる（４６５）。ユーザがチケットを選択すると、その情報がポータルサーバ１０４に送られ、ポータルサーバはユーザが選択したチケットに対応するサービスを起動する（４７０）。他のコンピュータ上のサービスを起動する方法は１つに限らないが、例えば、ＷＥＢサーバ上で提供されるサービスであれば、ＵＲＬを当該サーバに与えることによって、指定されたファイルを要求元へ返送するというサービスを起動したり、あるいはＵＲＬを与えることで、ＵＲＬ中で指定したプログラムをＷＥＢサーバ側で起動してこのプログラムでもっと複雑なサービスを提供するというような手法がある。
【００５５】
ここで、局所サービス発見サーバ２０２１が検索したチケット２０２２には、店舗内での商品の販売価格、割引サービスなどの局所的に提供するための情報やサービス（局所サービス２０３など）が含まれ、大域サービス発見サーバ１０５２が検索したチケット１０５３には、商品のメーカーが提供する製品の詳細な情報（モノに関連付けられたサービス１０６など）などのグローバルな情報、すなわちより広域的に提供するための情報が含まれている。尚、上述したようにこれらのサービス（情報そのものも含む）の実体は、他のサーバやインターネット上のサイトに置くことができる。
【００５６】
どちらの情報の提供を受けるかは、ポータルサーバ１０４によって提示されたメニューからユーザが選択するようにしてもよいし、ポータルサーバ１０４が、所定の基準に基づいて決定するようにしてもよい。例えば、ポータルサーバ１０４がシステムにアクセスした各ユーザのアクセス履歴を保持しておき、この履歴に含まれるアクセスした情報の頻度等からユーザの嗜好を分析して、この分析した嗜好に基づいて決定するようにしてもよい。あるいは、サービスを受ける人間が最終的にはそこへ行かなければならないようなサービスなどでは近くにある店舗などを選ぶなど、サービスの性質上当然と考えられる基準に基づいてポータルサーバ１０４が自動的に選択したり、優先順位を付けたりすることもできる。
【００５７】
また、上記構成では、上位の局所サーバを大域サーバとしたが、上位の局所サーバは、必ずしも大域サーバである必要はなく別の局所サーバ（図示せず）とすることもできる。例えば、複数の販売店を有するショッピングモールがあった場合に、各販売店毎に局所サーバを配置し（これらは同一レベル、すなわち、同じ階層にある局所サーバといえる）、その上位の局所サーバとして、ショッピングモールの局所サーバを配置することもできる。この場合、上位の局所サーバには、各販売店に共通する情報や、ショッピングモール全体として提供するための情報を検索する機能を持たせることができる。すなわち、ユーザは、各販売店毎に設置された局所サーバから各販売店によって提供される情報を得ることもでき、１つ上位の局所サーバからショッピングモール内で共通に提供される情報を得ることもできる。このように、局所サーバを複数段に階層化した構成とした場合には、大域サーバ１０５は、階層構造の最上位のサーバとして位置付けることができる。
【００５８】
上の例で、ショッピングモールがさらに複数存在する場合には、各ショッピングモールを統括するセンタに配置されたサーバを更に上位の局所サーバとすることもできる。ＵＤＳシステムを、特定の企業、団体に限定されない広範なサービスについての情報提供を行うものではなく、特定の企業、団体が提供するサービスにその情報提供元を限定したものとする場合には、そのような上位の局所サーバを大域サーバとしても良い。局所サーバの階層化は、上記の例に限られず、例えば、ある企業において１つの課（第１営業課、第２営業課など）単位に局所サーバを配置し、その上位の局所サーバとして部（営業部など）単位で局所サーバを配置するといった階層化を行うこともできる。
【００５９】
上述のように、局所サーバの上位のサーバが更に上位のサーバを持っている場合には、上述した局所サーバが上位のサーバに万物ＩＤを送って検索結果のチケットを受け取るという動作（ステップ４４０乃至４６０）において、この上位のサーバは更に上位のサーバに受け取った万物ＩＤを送り、そこから帰ってきたチケットを自分のサービス発見サーバで検索されたチケットと合わせて下位のサーバへ返送するというような、再帰的な動作が行われる。
【００６０】
例えば、多数の店舗を擁する会社の場合に、末端の１店舗またはいくつかの店舗を管轄する一階層の局所サーバしか持っていない場合には、それらの多くの局所サーバが共通に持つ情報が多くなり、そのような共通情報の更新を行うために頻繁にその多くの局所サーバにダウンロードを行う必要が生じたり、何らかの障害でどこかの局所サーバに更新前の共通情報が残ってしまう可能性が高くなるが、局所サーバを多階層化することによって、こういった問題を軽減または防止することができる。
【００６１】
尚、図４のフローチャートでは、ポータルサーバが、局所サーバに万物ＩＤを送り（４３５）、さらに、局所サーバがそれの上位のサーバに万物ＩＤを送る（４４０）が、図５のフローチャートに示すように、ポータルサーバが、局所サーバと最上位の大域サーバに万物ＩＤを送る（５５５、５７５）ようにすることもできる。この場合、大域サーバ中の大域サービス発見サーバと、局所サーバ中の局所サービス発見サーバのそれぞれによって検索されたチケットは別々にポータルサーバに送られる（５７０、５８０）。
【００６２】
「ユーザ位置の読み取り」
上述のステップ４１０でモバイル端末１０２が位置情報を読み取るとしたが、これは、ユーザがいる位置から、ユーザのいるエリア（局所エリア２０１）を管轄する局所サーバ２０２を探すために必要である。また、ユーザ位置の読み取りは、ステップ４４５のユーザ位置の認証ステップでも必要となる。ユーザの現在位置を読み取るために、上述の実施形態では、ＧＰＳを利用してユーザの位置を測定しているが、他にも種々の方法があり、どの方法を採用するかによって局所サーバ２０２の発見手順が決まる。
【００６３】
図２のシステム構成では、ユーザの位置検出手段としてモバイル端末１０２に搭載されたＧＰＳ  １０２２が、ＧＰＳ衛星と通信して自己の位置（緯度及び経度）を測定する。この場合、ユーザのモバイル端末１０２に搭載されたＧＰＳ  １０２２は、屋外や屋内であっても電波の届きやすいところであれば、ユーザの自己位置を測定することができる。また、モバイル端末１０２中でＧＰＳの全ての処理を行う代わりに、モバイル端末１０２内のＧＰＳ１０２２が受信信号の簡単な前処理だけを行い、位置の計算などの負担の重い処理は携帯ネットワーク１０３に接続されている別のサーバ（図示せず）が行うようにしてもよい。
【００６４】
また、ＧＰＳを利用する以外の方法として、基地局のＩＤもしくはそれを利用した詳細な位置情報は携帯ネットワーク１０３が内部的に管理している情報を使用して算出できる。ユーザの位置がわかると、局所サーバデータベース１０３１を利用して、ユーザの位置からその場所を管轄する局所サーバを見つけることができる。ＩＤを利用した位置読み取りの具体例としては、例えば、モバイル端末１０２が接続している基地局（図示せず）のＩＤであるＣＳＩＤを使用する方法がある。この方法では、そのＣＳＩＤに対応する基地局の位置（緯度経度）を管理するデータベース（図示せず）からユーザの現在位置が分かる。ただし、モバイルの基地局がカバーするエリアは電波の強さなどによって決まるもので、概して大きい（半径５００メートル〜数キロ）。ＰＨＳネットワークなどでは、複数のＣＳＩＤとそれぞれの基地局が受け取る電波の強さから、三角測量によってより細かいユーザの位置測定を提供するサービスもあるのでこれを利用することもできる。
【００６５】
また、別の方法として、ユーザが店舗の入り口などに置かれた赤外線ビーコン（図３に示す第２の実施形態）やＢｌｕｅｔｏｏｔｈ機能を搭載した装置などと明示的に通信を行って、局所サーバ２０２を特定する方式もある。赤外線ビーコンやＢｌｕｅｔｏｏｔｈ機能を搭載した装置を用いる場合には、それらとユーザ端末１０２とが通信を行い、局所サーバ２０２のネットワーク上のアドレスを受け取ることが可能である。この場合は、緯度、経度などの空間的位置情報から局所サーバアドレスへの変換を行う必要がないので、そのような変換用のサーバが不要になる。
【００６６】
図３の第２の実施形態では、図４のステップは以下のように変更される：
ステップ４１０の動作は「モバイル端末が赤外線ビーコンから局所サーバのアドレスを受信する」となる。ステップ４２０の動作は「モバイル端末がタグと局所サーバのアドレスをポータルサーバへ送る」となる。ステップ４３０に対応するステップは存在しない。ステップ４３５の動作は「ポータルサーバが指定されたアドレスの局所サーバに変換済みの万物ＩＤを送る」となる。また、図５のステップ５１０、５２０、５３０、５４５、５５５も同様に変更される。
【００６７】
このように、既存の測定方法を使って、ユーザ位置（緯度及び経度などの位置を特定する情報）を特定し、このユーザ位置からデータベースの検索などによって、それに対応付けられた局所サーバを発見する（具体的には、ユーザ位置からネットワーク上のコンピュータ名やアドレスなどを検索する）ことができる。また、図３に示す第２の実施形態では、赤外線ビーコンを受信することにより、その位置を管轄する局所サーバのアドレスを直接受信して、局所サーバを特定することができる。
【００６８】
「ユーザ位置の認証」
ステップ４４５の「ユーザ位置の認証を行う」ステップについて説明する。ステップ４１０でのユーザ位置の読み取りは、そのエリアを管轄する局所サーバ２０２を特定するために必要な処理であったが、この認証ステップ４４５は、サービス提供の時点で、そのユーザがそのエリアに実際にいるか否かを確認するためのステップである。
【００６９】
すなわち、ステップ４１０でユーザの位置を読み取った後、ユーザが局所サーバ２０２の管轄エリア外に移動している場合も考えられる。また、局所サーバのアドレスを知ることにより、ユーザが実際にはそこにいないのに、位置を偽って局所サーバにアクセスしようとすることもあるかもしれない。したがって、局所サーバ２０２を「この店の中にいる客だけにサービスを提供する」という方針で運用したい場合には、サービスの提供時に、システムは、ユーザが本当にその店の中にいるかどうか、すなわち、ユーザが局所サーバ２０２の管轄エリア内にいるか否かを確認する必要がある。
【００７０】
ここで、上述したように、ＧＰＳや基地局からユーザの位置を割り出した場合には、その位置情報は携帯ネットワーク１０３に送られ、携帯ネットワーク１０３がユーザの現在位置を取得して保持しているので、ユーザ位置の認証は、例えば、局所サーバ２０２がポータルサーバ１０４を介して携帯ネットワーク１０３に問い合わせることによって行うことができる。具体的には、局所サーバ２０２が管轄する店舗の位置情報を携帯ネットワーク１０３に送り、携帯ネットワーク１０３側が、店舗の位置情報と保持しているユーザの位置情報から（あるいは、ユーザが当初の位置から移動したかどうかを知る必要がある場合には、再測定されたユーザの位置情報から）ユーザがその店舗内にいることを認証する。もしくはユーザの現在位置を携帯ネットワーク１０３から局所サーバ２０２に送信し、局所サーバ側でユーザが管轄エリアにいるか否かを判断するようにしてもよい。
【００７１】
但し、ユーザ位置の認証は、オプションのステップであり、セッションの開始時点すなわち、ステップ４１０でユーザの位置を検出した後、ユーザの位置を確認する必要がなければ（あるいは、ユーザ側から指定されたアドレスが赤外線ビーコンからユーザがその場で受け取ったものであると信用するならば）、このステップを省くことができる。
【００７２】
第２の実施態様のように赤外線ビーコン（図３の２０２４）を使った場合は、モバイル端末１０２が赤外線ビーコン２０２４と通信する際に、ユーザに関する識別子を赤外線ビーコン２０２４に対して送り、ポータルサーバ１０４からの要求にもユーザ識別子を書くことで、局所サーバ２０２自体が、その場所にいるユーザからの要求であることを認証することができる。Ｂｌｕｅｔｏｏｔｈ機能を搭載した装置を利用する場合も同様である。
【００７３】
以下、図３に示す本発明の第２の実施形態を複数のスーパーマーケット（販売支店）を持つあるスーパーマーケットチェーン社（Ａ社）に適用した例を示す。図３の局所エリア２０１は、Ｄ店のエリア、すなわち、Ｄ店の局所サーバの管轄エリアである。他の支店については図示していないが、システム構成は各支店で同様である。この例では、ユーザの位置を検出するのは赤外線ビーコン２０２４である。また、各支店の局所サーバの上位のサーバは大域サーバ１０５である。
【００７４】
スーパーマーケットチェーンＡ社では、あるメーカーＢ社の製品Ｘについて、１０個買うと景品がつくという販売促進キャンペーンを行っている。Ａ社の支店はいくつもあり、それぞれ違う値段をつけてＸを販売している。Ａ社の支店であるＤ店では自店の販売価格および、Ａ社の販売促進キャンペーンについての情報をＸに関連付けてモバイルユーザにサービスする。
【００７５】
この場合、Ｄ店では局所サーバ２０２と、局所サービス発見サーバ２０２１が起動される。上述したように、この局所サーバ２０２の上位サーバとして指定されるのは大域サーバ１０５である。Ｃ店はＤ店とは別の局所サーバ２０２’と局所サービス発見サーバ２０２１’、赤外線ビーコン２０２４’（上記したように、Ｃ店にあるこれらのシステムは図示していないが、提供する情報コンテンツを除きＤ店のものと同様のシステム構成とすることができる）を店舗内で提供し、その上位サーバとしては、同じく大域サーバ１０５を指定する（もちろんこれらのサーバは各店毎に設置する代わりに、例えばこのような局所サーバサービスを提供するセンタに集中して設けてもよいし、また論理的には別々のサーバであっても物理的には１つあるいは少数のサーバにまとめてもよい）。
【００７６】
Ｄ店に来た顧客は、モバイル端末１０２を使って赤外線ビーコン２０２４と通信してそこから局所サーバのネットワーク上のアドレスを受け取ることによって、Ｄ店の局所サーバ２０２を見つける。以後この店にいる間はＤ店の局所サーバ２０２が提供する情報サービス２０３や情報発見サービスを受けることができる。顧客は、モバイル端末１０２で商品Ｘに付けられた識別子タグを読み取って、携帯ネットワークに送る。これによって、顧客は、Ｄ店が提供する商品Ｘの価格については局所サーバ２０２から、商品Ｘの販売促進キャンペーンについては大域サーバ１０５から情報を得ることができる。顧客は、自身のモバイル端末１０２を操作することにより、これらのいずれのサービスを受け取るかを選択することもできる。
【００７７】
【発明の効果】
本発明によれば、従来のサービス提供システムに比べて、「ある店舗の中だけ」、「テーマパークの中だけ」といった地域に限定したサービスを効率よく提供することが可能にある。さらに、特定のエリア、例えば特定の店舗に実際に来店している客以外の人にはサービスを提供できないようにすることが可能となる。
【図面の簡単な説明】
【図１】先の出願によるＵＤＳシステムの構成を示す。
【図２】本発明の第１の実施形態による局所サービスを実現するためのサービス提供システムの構成を示す。
【図３】本発明の第２の実施形態による局所サービスを実現するためのサービス提供システムの構成を示す。
【図４】本発明のサービス提供システムの処理フローの例を示すフローチャートである。
【図５】本発明のサービス提供システムの処理フローの他の例を示すフローチャートである。
【図６】本発明の１実施形態によるチケットの１例を示す図である。
【符号の説明】
１０１    オブジェクト（商品など）
１０２    モバイル端末
１０３    携帯ネットワーク
１０４    ポータルサーバ
１０５    大域サーバ
１０６    モノに関連付けられた情報サービス
１０２１  入力装置
１０３１  局所サーバデータベース
１０５１  識別子解析サーバ
１０５２  大域サービス発見サーバ
１０５３  チケット
１０５４  大域サーバのインターフェース部
２０１    局所エリア
２０２    局所サーバ
２０２１  局所サービス発見サーバ
２０２２  チケット
２０２３  上位サーバのアドレス（例えばＵＲＬ）
２０２４  赤外線ビーコン
２０２５  局所サーバのインターフェース部
１０２２  ＧＰＳ
２０３    局所情報サービス
【図１】
2004280350.tif 000003
【図２】
2004280350.tif 000004
【図３】
2004280350.tif 000005
【図４】
2004280350.tif 000006
【図５】
2004280350.tif 000007
【図６】
2004280350.tif 000008